(57)【要約】【課題】ユーザ又は開発設計担当者などが各種データを作成して携帯電話機に提供するデータ作成システムを提供する【解決手段】ユーザは、パソコン２によりＷｅｂサーバ３へアクセスし、携帯電話機１の背面のディスプレイ部などで表示するための各種データを作成してプレビュー表示し、データが所望のデータとなっていれば、Ｗｅｂサーバ３にて実装化データを作成して蓄積し、２次元バーコードデータを生成する。２次元バーコードデータに基づく２次元バーコードがパソコン２で表示される。次に、２次元バーコードが携帯電話機１のカメラで撮影され、同携帯電話機１で取得したデータが解析され、Ｗｅｂサーバ３へアクセスされる。最後に、Ｗｅｂサーバ３により、実装化及び蓄積されたユーザ所望のデータが携帯電話機１へ配信され、同携帯電話機１で実装化データが取得される（ステップＡ８）。【選択図】図４
2009015508.tif 000002
【特許請求の範囲】
【請求項１】
撮影手段を有し、所定の情報が含まれる２次元バーコードを前記撮影手段により撮影して該２次元バーコードの解析結果に基づいた動作を行う電子機器に対し、該電子機器で使用するための所定のデータを作成して提供するデータ作成システムであって、
前記所定のデータを作成し、前記所定のデータを前記電子機器に実装するための実装化データに変換して保持すると共に、前記実装化データに対応付けて２次元バーコードデータを生成し、かつ、前記２次元バーコードデータに基づく２次元バーコードを、前記電子機器の前記撮影手段により撮影可能に表示するデータ作成表示手段を有することを特徴とするデータ作成システム。
【請求項２】
前記データ作成表示手段は、
前記所定のデータを作成すると共に、前記２次元バーコードを表示するパーソナルコンピュータと、
該パーソナルコンピュータで作成された前記所定のデータを前記実装化データに変換すると共に、該実装化データに前記２次元バーコードデータを対応付けてＵＲＬで指定可能なページに保管するＷｅｂサーバとから構成され、
前記電子機器は、
前記パーソナルコンピュータに表示されている２次元バーコードを前記撮影手段により撮影し、該２次元バーコードの解析結果に基づいて前記ＵＲＬにアクセスして前記Ｗｅｂサーバから前記実装化データを取得する構成とされていることを特徴とする請求項１記載のデータ作成システム。
【請求項３】
前記データ作成表示手段は、
前記所定のデータを作成すると共に、前記２次元バーコードを表示するパーソナルコンピュータと、
該パーソナルコンピュータで作成された前記所定のデータを前記実装化データに変換すると共に、該実装化データを前記２次元バーコードデータに変換して保持するＷｅｂサーバとから構成され、
前記電子機器は、
前記パーソナルコンピュータに表示されている２次元バーコードを前記撮影手段により撮影し、該２次元バーコードの解析結果に基づいて前記実装化データを取得する構成とされていることを特徴とする請求項１記載のデータ作成システム。
【請求項４】
前記２次元バーコードは、
１次元バーコードも含むことを特徴とする請求項１、２又は３記載のデータ作成システム。
【請求項５】
撮影手段を有し、所定の情報が含まれる２次元バーコードを前記撮影手段により撮影して該２次元バーコードの解析結果に基づいた動作を行う電子機器に対し、該電子機器で使用するための所定のデータを作成して提供するデータ作成システムに用いられるデータ作成方法であって、
前記所定のデータを作成するデータ作成処理と、
前記所定のデータを前記電子機器に実装するための実装化データに変換して保持する実装化データ作成処理と、
前記実装化データに対応付けて２次元バーコードデータを生成するバーコードデータ生成処理と、
前記２次元バーコードデータに基づく２次元バーコードを、前記電子機器の前記撮影手段により撮影可能に表示するバーコード表示処理とを行うことを特徴とするデータ作成方法。
【請求項６】
前記データ作成処理では、
パーソナルコンピュータが前記所定のデータを作成し、
前記実装化データ作成処理では、
前記パーソナルコンピュータで作成された前記所定のデータをＷｅｂサーバが前記実装化データとして作成し、
前記バーコードデータ生成処理では、
前記Ｗｅｂサーバが、前記実装化データに前記２次元バーコードデータを対応付けてＵＲＬで指定可能なページに保管し、
前記バーコード表示処理では、
前記パーソナルコンピュータが前記２次元バーコードを表示し、
前記電子機器が、前記パーソナルコンピュータに表示されている前記２次元バーコードを前記撮影手段により撮影し、該２次元バーコードの解析結果に基づいて前記ＵＲＬにアクセスして前記Ｗｅｂサーバから前記実装化データを取得することを特徴とする請求項５記載のデータ作成方法。
【請求項７】
前記データ作成処理では、
パーソナルコンピュータが前記所定のデータを作成し、
前記実装化データ作成処理では、
前記パーソナルコンピュータで作成された前記所定のデータをＷｅｂサーバが前記実装化データに変換し、
前記バーコードデータ生成処理では、
前記Ｗｅｂサーバが、前記実装化データを前記２次元バーコードデータに変換して保持し、
前記バーコード表示処理では、
前記パーソナルコンピュータが前記２次元バーコードを表示し、
前記電子機器が、前記パーソナルコンピュータに表示されている前記２次元バーコードを前記撮影手段により撮影し、該２次元バーコードの解析結果に基づいて前記実装化データを取得することを特徴とする請求項５記載のデータ作成方法。
【発明の詳細な説明】
【技術分野】
【０００１】
この発明は、データ作成システム、及び該データ作成システムに用いられるデータ作成方法に係り、たとえば、携帯電話機の開発設計段階などで、同携帯電話機のメモリ容量に制約があるときに、同携帯電話機の背面の表示部などに表示するためのデータや電話帳データなどを作成して提供する場合に用いて好適なデータ作成システム、及び該データ作成システムに用いられるデータ作成方法に関する。
【背景技術】
【０００２】
携帯電話機の背面の表示部に表示される時刻データや装飾データの他、電話帳データなどの各種データは、同携帯電話機が完成している段階では、主に同携帯電話機のメモリが用いられることにより、データ作成用のプログラム上で作成されるが、同携帯電話機の開発設計段階では、データ作成のためのメモリの容量が十分に確保されないことがあり、プログラム化ができないという問題点がある。また、上記各種データは、ユーザが自作することができなかったり、コンテンツプロバイダで作成されたものが通信手段によってダウンロードされることもあるため、必ずしもユーザの意に沿ったものにならないという問題点がある。このため、ユーザ又は開発設計担当者などが各種データを作成して携帯電話機に提供するデータ作成システムが要求されている。
【０００３】
この種の関連技術としては、たとえば、特許文献１に記載されたものがある。
特許文献１に記載された店舗情報提供システムでは、顧客の携帯端末を使って、店舗の遠隔地に設置されている店舗案内板の店舗情報などが格納された２次元バーコードなどの情報記憶手段の内容を読み取るだけで、解析結果に応じた情報としての店舗情報が入手できるので、店舗に来店した際の席待ち時間などの無駄な時間が減少する。
【０００４】
また、特許文献２に記載されたプリント注文受付サーバでは、パーソナルコンピュータ（パソコン）の表示画面で表示される２次元バーコードからコードリーダでアクセス情報が読み取られるため、注文したプリントに指定したコンテンツへのアクセス情報が埋め込まれた２次元バーコードが添付されているか否かがプリント注文時に容易に確認することができる。
【０００５】
また、特許文献３に記載されたＱＲコード生成システムでは、移動通信端末から機種識別情報がＱＲコード生成サーバへ送信され、同ＱＲコード生成サーバでは、機種識別情報が受信されたとき、端末情報管理手段に登録されている端末情報と機種識別情報とが比較され、該当する移動通信端末の端末情報がある場合には、この該当する端末情報から移動通信端末が備える表示装置の性能とＱＲコード読取装置の性能情報に対応したＱＲコードが生成され、移動通信端末へ送信される。これにより、移動通信端末が備える表示装置に最適なＱＲコードが提供され、ＱＲコード読取装置の読取精度が向上する。
【０００６】
また、特許文献４に記載された記事編集・送信システムでは、パソコンにより、記事の情報が２次元バーコードに変換され、同２次元バーコードが画面上に表示される。携帯電話機では、カメラ手段により２次元バーコードが撮影され、復号手段により同２次元バーコードが記事の情報に復号され、記事編集手段により記事が編集される。編集された記事は、送信手段により記事受信システムに送信される。
【特許文献１】特開２００５−３３２１３４号公報（第５頁、図２）
【特許文献２】特開２００６−０２０２０４号公報（第４頁、図１）
【特許文献３】特開２００６−２５２０５３号公報（第２頁、図２）
【特許文献４】特開２００６−２９３７０９号公報（第１頁、図２）
【発明の開示】
【発明が解決しようとする課題】
【０００７】
しかしながら、上記の関連技術では、次のような問題点があった。
すなわち、特許文献１に記載された店舗情報提供システムでは、顧客の携帯端末に店舗情報が提供されるが、ユーザが作成したデータが提供されるものではないので、上記の問題点は、改善されない。
【０００８】
特許文献２に記載されたプリント注文受付サーバでは、パソコンの表示画面で表示される２次元バーコードからアクセス情報が読み取られるが、ユーザが作成したデータが提供されるものではないので、上記の問題点は、改善されない。
【０００９】
また、特許文献３に記載されたＱＲコード生成システムでは、移動通信端末が備える表示装置に最適なＱＲコードが提供されるが、ユーザが作成したデータが提供されるものではないので、上記の問題点は、改善されない。
【００１０】
また、特許文献４に記載された記事編集・送信システムでは、パソコンにより、記事の情報が２次元バーコードに変換されて画面上に表示されるが、携帯電話機で使用するためのデータが提供されるものではないので、上記の問題点は、改善されない。
【００１１】
この発明は、上述の事情に鑑みてなされたもので、ユーザ又は開発設計担当者などが時刻データや装飾データの他、電話帳データなどの各種データを作成して携帯電話機に提供するデータ作成システム、及び該データ作成システムに用いられるデータ作成方法を提供することを目的としている。
【課題を解決するための手段】
【００１２】
上記課題を解決するために、この発明は、撮影手段を有し、所定の情報が含まれる２次元バーコードを前記撮影手段により撮影して該２次元バーコードの解析結果に基づいた動作を行う電子機器に対し、該電子機器で使用するための所定のデータを作成して提供するデータ作成システムに係り、前記所定のデータを作成し、前記所定のデータを前記電子機器に実装するための実装化データに変換して保持すると共に、前記実装化データに対応付けて２次元バーコードデータを生成し、かつ、前記２次元バーコードデータに基づく２次元バーコードを、前記電子機器の前記撮影手段により撮影可能に表示するデータ作成表示手段を有することを特徴としている。
【００１３】
また、この発明では、前記データ作成表示手段は、前記所定のデータを作成すると共に、前記２次元バーコードを表示するパーソナルコンピュータと、該パーソナルコンピュータで作成された前記所定のデータを前記実装化データに変換すると共に、該実装化データに前記２次元バーコードデータを対応付けてＵＲＬ（Uniform Resource Locator）で指定可能なページに保管するＷｅｂサーバとから構成され、前記電子機器は、前記パーソナルコンピュータに表示されている２次元バーコードを前記撮影手段により撮影し、該２次元バーコードの解析結果に基づいて前記ＵＲＬにアクセスして前記Ｗｅｂサーバから前記実装化データを取得する構成とされていることを特徴としている。
【００１４】
また、この発明では、前記データ作成表示手段は、前記所定のデータを作成すると共に、前記２次元バーコードを表示するパーソナルコンピュータと、該パーソナルコンピュータで作成された前記所定のデータを前記実装化データに変換すると共に、該実装化データを前記２次元バーコードデータに変換して保持するＷｅｂサーバとから構成され、前記電子機器は、前記パーソナルコンピュータに表示されている２次元バーコードを前記撮影手段により撮影し、該２次元バーコードの解析結果に基づいて前記実装化データを取得する構成とされていることを特徴としている。
【発明の効果】
【００１５】
この発明の構成によれば、データ作成表示手段により、所定のデータが作成され、同所定のデータが電子機器に実装するための実装化データに変換されて保持されると共に、同実装化データに対応付けて２次元バーコードデータが生成し、かつ、同２次元バーコードデータに基づく２次元バーコードが、同電子機器の撮影手段により撮影可能に表示される。これにより、所定のデータの作成のためのプログラムを電子機器に実装する必要がなくなり、同電子機器のメモリ使用量を低減することができる。
【発明を実施するための最良の形態】
【００１６】
パーソナルコンピュータやＷｅｂサーバなどの携帯電話機以外の情報端末システムを代替装置として用い、ユーザが使用する各種データの入力及び実装化データを取得するシステムを提供する。すなわち、パソコンで各種データが作成されてＷｅｂサーバに送出され、携帯電話機に実装するための実装化データとして作成されて保持され、同実装化データに対応付けて２次元バーコードデータが生成されてＵＲＬで指定可能なページに保管され、同パソコンでは、この２次元バーコードデータに基づく２次元バーコードが表示画面に表示され、携帯電話機にて、パソコンで表示されている２次元バーコードがカメラにより撮影されて同２次元バーコードの解析結果に基づいて上記ＵＲＬにアクセスしてＷｅｂサーバから上記実装化データが取得されるデータ作成システム、及び同データ作成システムに用いられるデータ作成方法を提供する。
【００１７】
また、パソコンで各種データが作成されてＷｅｂサーバに送出され、同各種データが同Ｗｅｂサーバで実装化データとして作成され、同Ｗｅｂサーバにより、上記実装化データが２次元バーコードデータに変換されて保持され、パソコンで２次元バーコードが表示され、携帯電話機により、パソコンに表示されている２次元バーコードがカメラにより撮影され、同２次元バーコードの解析結果に基づいて実装化データが取得されるデータ作成システム、及び同データ作成システムに用いられるデータ作成方法を提供する。
【実施例】
【００１８】
図１は、この発明の一実施例であるデータ作成システムの要部の電気的構成を示すブロック図である。
この例のデータ作成システムは、同図に示すように、携帯電話機１に対し、同携帯電話機１で使用するための各種データ（たとえば、背面の表示部に表示される時刻データや装飾データの他、電話帳データなど）を作成して提供する機能を有し、パーソナルコンピュータ（パソコン）２と、Ｗｅｂサーバ３とから構成されている。パソコン２は、ユーザ又は開発設計担当者などの操作により、上記各種データをホームページ上で作成する。
【００１９】
Ｗｅｂサーバ３は、パソコン２で作成された同各種データを携帯電話機１に実装するための実装化データの形式に変換すると共に、同実装化データに２次元バーコードデータを対応付けてＵＲＬ（Uniform Resource Locator）で指定可能なページに保管する。また、パソコン２は、上記２次元バーコードデータに基づく２次元バーコードを、携帯電話機１の撮影手段により撮影可能なように表示画面に表示する。携帯電話機１は、図示しないカメラなどの撮影手段を有し、所定の情報が含まれる２次元バーコードを同撮影手段により撮影して同２次元バーコードの解析結果に基づいた動作を行う。特に、この実施例では、携帯電話機１は、パソコン２に表示されている２次元バーコードを撮影手段により撮影し、同２次元バーコードの解析結果に基づいて上記ＵＲＬにアクセスしてＷｅｂサーバ３から上記実装化データを取得する。
【００２０】
図２は、図１中の携帯電話機１の要部の電気的構成を示すブロック図である。
この携帯電話機１は、同図２に示すように、アンテナ１１と、無線部１２と、ディスプレイ部１３ａ，１３ｂと、制御部１４と、メモリ１５と、カメラ１６と、操作部１７と、スピーカ１８と、マイク１９と、レシーバ２０とから構成されている。アンテナ１１は、図示しない無線基地局の受け持ちのセル内で同無線基地局と無線信号ｗを送受信する。無線基地局は、図示しない在圏移動通信交換局及び関門移動通信交換局を介して一般電話回線網に接続されている。無線部１２は、無線基地局との間でアンテナ１１を介して送受信される無線信号ｗに対して変復調などの処理を行う。ディスプレイ部１３ａは、たとえば液晶表示装置などで構成され、電話番号、時計、サービス圏内／圏外、電話帳表示、スケジュール表示、カレンダー表示、機能メニュー表示、現在の動作モードなどを表示し、ディスプレイ部１３ｂは、たとえばＬＥＤ（Light Emitting Diode、発光ダイオード）などで構成され、、時計、サービス圏内／圏外、現在のモードなどを表示する。
【００２１】
カメラ１６は、たとえばＣＭＯＳセンサやＣＣＤセンサなどによるカメラで構成され、静止画撮影及び動画撮影を行う他、特に、この実施例では、所定の情報が含まれる２次元バーコードを撮影する。この２次元バーコードＢは、たとえば、株式会社デンソーウェーブにより開発された“ＱＲコード”（登録商標）が用いられる。操作部１７は、たとえば、送信キー、英字／カナ／漢字／数字の変換キー、電源のオン／オフキー、カーソル操作を行うための十文字キー、及び終了キーなどから構成され、ユーザの操作により、文字などの入力や項目の選択などの各種操作を行うための手段である。スピーカ１８は、着信音を発生する。マイク１９は、この携帯電話機の送話部としての機能を有している。レシーバ２０は、この携帯電話機の受話部としての機能を有している。
【００２２】
メモリ１５は、たとえばＲＡＭ（Randam Access Memory）で構成され、電話帳データ、撮影画像データ、ダウンロードデータなどを記憶する。制御部１４は、この携帯電話機全体を制御するＣＰＵ（中央処理装置）１４ａ及び同ＣＰＵ１４ａを動作させるための制御プログラムが記録されたＲＯＭ（リード・オンリ・メモリ）１４ｂを有している。特に、この実施例では、制御部１４は、カメラ１６により撮影された２次元バーコードＢを解析し、同２次元バーコードＢの解析結果に基づいた動作を行う。
【００２３】
図３は、図２の携帯電話機の外観の一例を示す図であり、同図（ａ）は正面図、及び同図（ｂ）が背面図である。
この携帯電話機は、同図（ａ）に示すように、上部ユニット２１と、下部ユニット２２とを備えている。上部ユニット２１は、正面側にディスプレイ部１３ａ及びレシーバ２０を備え、下部ユニット２２が、正面側に操作部１７及びマイク１９を備えている。そして、上部ユニット２１の正面側及び下部ユニット２２の正面側同士が向かい合う態様でヒンジ部２３を介して折り畳み可能に構成されている。また、同図（ｂ）に示すように、上部ユニット２１は、背面側にディスプレイ部１３ｂ、カメラ１６及びスピーカ１８を備えている。
【００２４】
図４は、図１のデータ作成システムの動作を説明するシーケンス図である。
この図を参照して、この例のデータ作成システムに用いられるデータ作成方法の処理内容について説明する。
このデータ作成システムでは、パソコン２で各種データが作成される（データ作成処理）。各種データは、Ｗｅｂサーバ３に送出され、携帯電話機１に実装するための実装化データとして作成されて保持され（実装化データ作成処理）、同実装化データに対応付けて２次元バーコードデータが生成されてＵＲＬで指定可能なページに保管される（バーコードデータ生成処理）。パソコン２では、この２次元バーコードデータに基づく２次元バーコードが表示画面に表示される（バーコード表示処理）。携帯電話機１では、パソコン２で表示されている２次元バーコードがカメラ１６により撮影されて同２次元バーコードの解析結果に基づいた動作が行われ、特に、この実施例では、上記ＵＲＬにアクセスしてＷｅｂサーバ３から上記実装化データが取得される。
【００２５】
すなわち、図４に示すように、まず、ユーザは、パソコン２によりＷｅｂサーバ３へアクセスし、携帯電話機１の背面のディスプレイ部１３ｂのＬＥＤなどで表示するための各種データを作成してプレビュー表示し（ステップＡ１）、表示されているデータが所望のデータとなっていれば、Ｗｅｂサーバ３にて実装化データを作成して蓄積し（ステップＡ２）、２次元バーコードデータを生成する（ステップＡ３）。生成された２次元バーコードデータに基づく２次元バーコードがパソコン２の表示画面に表示される（ステップＡ４）。次に、携帯電話機１により、パソコン２で表示されている２次元バーコードがカメラ１６で撮影され（ステップＡ５）、取得したデータが解析され、Ｗｅｂサーバ３へアクセスされる（ステップＡ６）。最後に、Ｗｅｂサーバ３により、実装化及び蓄積されたユーザ所望のデータが携帯電話機１へ配信され（ステップＡ７）、同携帯電話機１で実装化データが取得される（ステップＡ８）。
【００２６】
以上のように、この実施例では、パソコン２で各種データが作成されてＷｅｂサーバ３に送出され、携帯電話機１に実装するための実装化データとして作成されて保持され、同実装化データに対応付けて２次元バーコードデータが生成されてＵＲＬで指定可能なページに保管され、同パソコン２では、この２次元バーコードデータに基づく２次元バーコードが表示画面に表示され、携帯電話機１にて、パソコン２で表示されている２次元バーコードがカメラ１６により撮影されて同２次元バーコードの解析結果に基づいて上記ＵＲＬにアクセスしてＷｅｂサーバ３から上記実装化データが取得される。これにより、各種データの作成が容易に行われる。また、各種データ作成のためのプログラムを携帯電話機１に実装する必要がないので、同携帯電話機１のメモリ使用量が低減される。
【００２７】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、携帯電話機１にて、２次元バーコードがカメラ１６で撮影され、取得したデータが解析されてＷｅｂサーバ３へアクセスするようになっているが、Ｗｅｂサーバ３にて、実装化データを２次元バーコードデータに変換すれば、携帯電話機１がＷｅｂサーバ３へアクセスすることなく、通信量が発生せずに実装化データを取得することが可能となる（請求項３に対応）。これにより、図４中のステップＡ６以降が不要となる。
【００２８】
すなわち、パソコン２で各種データが作成され（データ作成処理）、パソコン２で作成された各種データがＷｅｂサーバ３で実装化データとして作成され（実装化データ作成処理）、Ｗｅｂサーバ３により、上記実装化データが２次元バーコードデータに変換されて保持され（バーコードデータ生成処理）、パソコン２で２次元バーコードが表示され（バーコード表示処理）、携帯電話機１により、パソコン２に表示されている２次元バーコードがカメラ１６により撮影され、同２次元バーコードの解析結果に基づいて実装化データが取得される（請求項７に対応）。
【００２９】
また、携帯電話機１の筐体は、上記実施例では折り畳み型となっているが、ストレート型や、スライド型などでも良い。また、上記実施例では、図２中の２次元バーコードＢは、株式会社デンソーウェーブにより開発されたマトリクス方式のものが用いられているが、この他、たとえば、Ｓｙｍｂｏｌ社（米国）により開発されたスタックドマトリクス方式の２次元バーコード、ＣＩＭａｔｒｉｘ社（米国）によるマトリクス方式の２次元バーコード、ＵＰＳ社（米国）によるマトリクス方式の２次元バーコードなどを用いても良い。また、２次元バーコードは、情報量が少ない場合では、１次元バーコードで代用しても良い。
【産業上の利用可能性】
【００３０】
この発明は、携帯電話機に限らず、たとえば、ＰＤＡ（Personal Digital Assistants ）など、２次元バーコードを撮影して解析結果に基づいた動作を行う電子機器全般に適用でき、特に、メモリ容量に制約のある電子機器の開発設計段階で用いて効果的である。
【図面の簡単な説明】
【００３１】
【図１】この発明の一実施例であるデータ作成システムの要部の電気的構成を示すブロック図である。
【図２】図１中の携帯電話機１の要部の電気的構成を示すブロック図である。
【図３】図２の携帯電話機の外観の一例を示す図である。
【図４】図１のデータ作成システムの動作を説明するシーケンス図である。
【符号の説明】
【００３２】
１      携帯電話機（電子機器）
２      パーソナルコンピュータ（パソコン）（データ作成表示手段の一部）
３      Ｗｅｂサーバ（データ作成表示手段の一部）
１１      アンテナ（電子機器の一部）
１２      無線部（電子機器の一部）
１３ａ，１３ｂ      ディスプレイ部（電子機器の一部）
１４      制御部（電子機器の一部）
１４ａ      ＣＰＵ（中央処理装置）（電子機器の一部）
１４ｂ    ＲＯＭ（リード・オンリ・メモリ）（電子機器の一部）
１５      メモリ（電子機器の一部）
１６      カメラ（電子機器の一部、撮影手段）
１７      操作部（電子機器の一部）
１８      スピーカ（電子機器の一部）
１９      マイク（電子機器の一部）
２０      レシーバ（電子機器の一部）
２１      上部ユニット（電子機器の一部）
２２      下部ユニット（電子機器の一部）
２３      ヒンジ部（電子機器の一部）
【図１】
2009015508.tif 000003
【図２】
2009015508.tif 000004
【図３】
2009015508.tif 000005
【図４】
2009015508.tif 000006